(57)【特許請求の範囲】
【請求項１】
支柱設置下地に設置自在な基台と、
前記基台とその上方に立設する支柱とを連結する中継部と、
前記中継部を前記支柱に対して縦軸芯周りに回転させて位置変更自在に固定する回転支持機構と、を備え、
前記中継部は、前記基台の上に支持される第１支持部材と、前記支柱の基端部を支持すると共に、前記第１支持部材の上に支持され、前記支柱を挿通支持する柱挿通孔が上下に貫通する状態で形成された第２支持部材と、前記第２支持部材に設けられ、前記柱挿通孔に挿通された前記支柱を締め付け固定するネジ部材と、前記第１支持部材と前記第２支持部材とに亘って設けられ、前記第２支持部材を前記第１支持部材に対して平面視で一方向に沿って位置変更自在に固定する第１スライド支持機構と、前記第１支持部材と前記第２支持部材とに亘って設けられ、前記第２支持部材を前記第１支持部材に対して前記一方向と交差する方向に沿って位置変更自在に固定する第２スライド支持機構と、を備え、
前記第１スライド支持機構は、前記第１支持部材のうち、前記支柱を取り付けた前記第２支持部材を前記第１支持部材に取り付けた状態において平面視で前記支柱を挟んで前記一方向と交差する方向における左右両側に位置する部分から、前記一方向に沿ってスライド可能な状態で、上方に向けて立設された左右の第１ボルトを備え、
前記第２スライド支持機構は、前記第２支持部材のうち、平面視で前記柱挿通孔を挟んで前記一方向と交差する方向における左右両側に位置する部分に、上下方向に沿う状態で貫通するとともに平面視で前記一方向と交差する方向に沿って延びるように形成され、前記左右の第１ボルトの夫々を挿通可能な左右の前記第１ボルト挿通孔と、前記左右の第１ボルト挿通孔を貫通した状態で端部にナットが締結される前記左右の第１ボルトと、を備え、
前記回転支持機構は、前記基台に前記縦軸芯に沿う状態で設けられた雌ネジ部と、前記第１支持部材のうち、前記支柱を取り付けた前記第２支持部材を前記第１支持部材に取り付けた状態において平面視で前記柱挿通孔と重複する部分に形成された第２ボルト挿通孔と、前記第１支持部材の上方から前記第２ボルト挿通孔を通され、前記雌ネジ部に締結される第２ボルトと、を備えている支柱用基礎。
【請求項２】
前記回転支持機構は、前記基台と前記第１支持部材との一方に設けられて前記縦軸芯方向に開口している円筒状の凹部と、前記基台と前記第１支持部材との他方に設けられて前記凹部に内嵌自在な円柱状の凸部と、を備えて構成してある請求項１に記載の支柱用基礎。
【請求項３】
前記基台は、柱状の立上り部を備え、
前記中継部は、平面視において、全周にわたって外周部が前記立上り部より外側に張り出す状態に形成してあり、且つ、前記基台との連結状態で、前記立上り部の上端部において外周側に位置する垂下筒部を備えている請求項１または２に記載の支柱用基礎。
【請求項４】
前記基台の柱状の立上り部は、円柱形状である請求項１〜３の何れか一項に記載の支柱用基礎。
【発明の詳細な説明】
【技術分野】
【０００１】
本発明は、例えば、手摺等の支柱を、支柱設置下地に設置するのに使用できる支柱用基礎に関する。
【背景技術】
【０００２】
従来、この種の支柱用基礎としては、スラブ等の支柱設置下地に設置自在な基台と、その上方に立設する支柱を基台に固定する中継部とを設けたものがあった（例えば、特許文献１参照）。
基台は、ブロック状のプレキャストコンクリート部材で構成してあり、スラブの上の所定位置に配置して、その周りにコンクリートを打設して一体に固定するものである。
また、中継部は、支柱の下端部を挿入できる挿入孔と、その側方に上下貫通状態に設けられたボルト挿通孔とを備え、基台に埋設されたアンカーボルトをボルト挿通孔に挿通してナットを締め付けて基台に固定されるものである。
【先行技術文献】
【特許文献】
【０００３】
【特許文献１】特開２００７−２５５００７号公報（図１、２）
【発明の概要】
【発明が解決しようとする課題】
【０００４】
上述した従来の支柱用基礎によれば、基台も中継部も、支柱設置下地上に固定してしまえば、支柱の立設位置は一義的に決定される。そして、複数の支柱が一定間隔となるように一体に組み付けられた手摺を設置するような場合、支柱間隔に合わせて、それぞれの基台や中継部が設置される。
従って、支柱用基礎の設置間隔、及び、手摺の支柱間隔が、完全に一致しないと、何れかの支柱が挿通孔に入らず、設置できなくなるから、支柱用基礎の位置出しを含む設置作業は、高い精度が要求され、極めて時間と手間が掛かるものとなっている。
また、支柱用基礎の設置において高い精度が確保されたにしても、手摺そのものの製造誤差で、支柱間隔が不揃いになっていることも考えられる。
【０００５】
従って、本発明の目的は、上記問題点を解消し、基台の設置位置の精度を高めなくても、確実に支柱を支持固定できる支柱用基礎を提供するところにある。
【課題を解決するための手段】
【０００６】
本発明の特徴は、支柱設置下地に設置自在な基台と、前記基台とその上方に立設する支柱とを連結する中継部と、前記中継部を前記支柱に対して縦軸芯周りに回転させて位置変更自在に固定する回転支持機構と、を備え、前記中継部は、前記基台の上に支持される第１支持部材と、前記支柱の基端部を支持すると共に、前記第１支持部材の上に支持され、前記支柱を挿通支持する柱挿通孔が上下に貫通する状態で形成された第２支持部材と、前記第２支持部材に設けられ、前記柱挿通孔に挿通された前記支柱を締め付け固定するネジ部材と、前記第１支持部材と前記第２支持部材とに亘って設けられ、前記第２支持部材を前記第１支持部材に対して平面視で一方向に沿って位置変更自在に固定する第１スライド支持機構と、前記第１支持部材と前記第２支持部材とに亘って設けられ、前記第２支持部材を前記第１支持部材に対して前記一方向と交差する方向に沿って位置変更自在に固定する第２スライド支持機構と、を備え、前記第１スライド支持機構は、前記第１支持部材のうち、前記支柱を取り付けた前記第２支持部材を前記第１支持部材に取り付けた状態において平面視で前記支柱を挟んで前記一方向と交差する方向における左右両側に位置する部分から、前記一方向に沿ってスライド可能な状態で、上方に向けて立設された左右の第１ボルトを備え、前記第２スライド支持機構は、前記第２支持部材のうち、平面視で前記柱挿通孔を挟んで前記一方向と交差する方向における左右両側に位置する部分に、上下方向に沿う状態で貫通するとともに平面視で前記一方向と交差する方向に沿って延びるように形成され、前記左右の第１ボルトの夫々を挿通可能な左右の前記第１ボルト挿通孔と、前記左右の第１ボルト挿通孔を貫通した状態で端部にナットが締結される前記左右の第１ボルトと、を備え、前記回転支持機構は、前記基台に前記縦軸芯に沿う状態で設けられた雌ネジ部と、前記第１支持部材のうち、前記支柱を取り付けた前記第２支持部材を前記第１支持部材に取り付けた状態において平面視で前記柱挿通孔と重複する部分に形成された第２ボルト挿通孔と、前記第１支持部材の上方から前記第２ボルト挿通孔を通され、前記雌ネジ部に締結される第２ボルトと、を備えているところにある。
【０００７】
本発明によれば、中継部に、支柱を平面視で一方向に沿って位置変更自在に固定する第１スライド支持機構を設けてあることで、中継部を連結してある基台に対して、平面視での支柱の固定位置を、一方向に沿って位置変更することができる。更には、中継部を縦軸芯周りに回転させて位置変更自在に固定する回転支持機構を設けてあることで、第１スライド支持機構そのものも、中継部と共に縦軸心周りに回転させることが可能となる。
その結果、基台に対する支柱の固定位置は、第１スライド支持機構の回転軌跡上の平面範囲内の任意の位置に設定できるようになる。
【０００８】
従って、支柱設置下地上の基台の取付位置が、予定位置から若干ずれていても、支柱の軸芯位置は、前記第１スライド支持機構と回転支持機構との何れか一方、又は、その両方を利用することで、支柱設置下地上の所定位置に位置合わせして支持することができる。
よって、基台の設置位置の精度を高めなくても、確実に支柱を所定位置に支持固定できるようになり、支柱用基礎の設置作業の効率向上を図ることができる。
【０００９】
また、支柱設置下地上に当該支柱基礎を設置した後に、支柱の立設位置を、若干ずらす必要が生じたような場合であっても、前記第１スライド支持機構と回転支持機構との何れか一方、又は、その両方を利用することで、簡単に支柱の立設位置の変更を行うことができる。
その結果、支柱間隔に誤差を含んでいるような手摺等であっても、その支柱間隔の誤差を中継部材で吸収して、手間をかけずに支柱を所定の位置に立設できるようになる。
【００１０】
【００１１】
また、本構成によれば、第２スライド支持機構を設けてあるから、前記第１スライド支持機構や回転支持機構と組み合わせて、支柱の平面位置の変更を、よりスムーズに行える。
また、支柱が例えば角柱であって、外周面の方向を変えない（柱軸芯周りの回転角を変更しない）状態で平面的な軸芯位置の変更を行う必要があるような場合でも、第１スライド支持機構と回転支持機構と第２スライド支持機構とを使用することで、支柱の芯合わせと面方向合わせとを簡単に行うことができる。
【００１２】
本発明においては、前記回転支持機構は、前記基台と前記第１支持部材との一方に設けられて前記縦軸芯方向に開口している円筒状の凹部と、前記基台と前記第１支持部材との他方に設けられて前記凹部に内嵌自在な円柱状の凸部と、を備えて構成してあると好適である。
【００１３】
本構成によれば、第１支持部材と、第２支持部材と、基台との少ない部品点数で、支柱用基礎を構成することができ、部材コストの低減化を実現し易い。
また、回転支持機構は、凹部と凸部との嵌合構造によって構成してあるから、構造が簡単な上、基台と第１支持部材との連結の際に、位置合わせをより迅速に且つ簡単に実施できる。
更には、凹部と凸部との嵌合構造は、水平力の作用に対して横ずれし難いから、互いの連結強度も高く維持できる。
【００１４】
本発明においては、前記基台は、柱状の立上り部を備え、前記中継部は、平面視において、全周にわたって外周部が前記立上り部より外側に張り出す状態に形成してあり、且つ、前記基台との連結状態で、前記立上り部の上端部において外周側に位置する垂下筒部を備えていると好適である。
【００１５】
本構成によれば、支柱設置下地上から基台の立上り部に沿って立ち上がる状態に防水層を設けるような場合に、当該支柱用基礎上に降り注ぐ雨水が、防水層の裏側に浸入するのを防止し易くなる。
即ち、中継部は、平面視において、全周にわたって外周部が立上り部より基台の立上り部より外側に張り出しているから、直接的に雨水が立上り部にかかるのを防止できる。更には、中継部の上から外周部を伝って落下する水は、垂下筒部によって、直下方向に案内されるから、中継部の下面側に回り込んで立上り部と防水層との間に浸入することを防止できる。よって、支柱用基礎の設置部における所定の防水性を確保することができる。
【００１６】
本発明においては、前記基台の柱状の立上り部は、円柱形状であると好適である。
【００１７】
本構成によれば、立上り部が円柱形状であるから、平面視における強度特性の等方性があり、平面視での何れの方向（径方向）からの外力に対しても、同様の抗力を発揮することができる。
よって、より安定した状態で支柱を支持することができる。
【図面の簡単な説明】
【００１８】
【図１】支柱の設置状況を示す正面視断面図である。
【図２】支柱の設置状況を示す側面視断面図である。
【図３】支柱の設置状況を示す平面図である。
【図４】基礎を示す分解斜視図である。
【図５】基台の正面視断面図である。
【図６】基台の平面図である。
【図７】第１支持部材の正面視断面図である。
【図８】第１支持部材の平面図である。
【図９】第２支持部材の正面視断面図である。
【図１０】第２支持部材の平面図である。
【図１１】別実施形態の基礎を示す分解斜視図である。
【図１２】別実施形態の基礎を示す分解斜視図である。
【図１３】別実施形態の基礎を示す分解斜視図である。
【図１４】別実施形態の第１支持部材を示す斜視図である。
【図１５】別実施形態の支柱設置状況を示す正面視断面図である。
【発明を実施するための形態】
【００１９】
以下に本発明の実施の形態を図面に基づいて説明する。
【００２０】
図１〜３は、本発明の支柱用基礎の一実施形態品（以後、単に基礎１という）が、屋上スラブ（支柱設置下地の一例）Ｒの上に設置してある状況を示している。
当該実施形態においては、屋上スラブＲには、予め、上面に沿って防水シート２が敷設してあり（図１、図２参照）、基礎１は、防水シート２の上に載置した状態でボルト３で屋上スラブＲに固定してある。
【００２１】
当該基礎１は、屋上スラブＲの上に設置自在な金属製の基台１Ａと、基台１Ａの上方に立設する支柱ＰＡを支持して基台１Ａに連結する金属製の中継部１Ｂとを設けて構成してある。
尚、当該実施形態においては、支柱ＰＡは、金属製の手摺Ｐの一部材として構成してある。具体的には、手摺Ｐは、所定の支柱間隔をあけて隣接する金属製の角筒部材で形成してある支柱ＰＡと、それら支柱ＰＡにわたって一体に固着された金属製の横桟ＰＢとを設けて構成してある（図３参照）。
【００２２】
前記基台１Ａは、図４〜６に示すように、円板形状のベース部４と、ベース部４の中央から上方に立上る円柱状の立上り部５とを設けて構成してある。
【００２３】
ベース部４は、その外縁部分に、周方向に等間隔となるように複数のボルト挿通孔４ａが形成してある。これらボルト挿通孔４ａに、ボルト３を挿通させて、屋上スラブＲに定着することで基台１Ａを固定できるように構成されている。
【００２４】
立上り部５は、下端が開口した筒状に形成してあり、上端は閉塞状態に構成してある。
上端の閉塞部５Ａは、平面視での中央部に、中継部１Ｂを取り付ける第２ボルト９を螺合させる雌ネジ部５ａが形成してあり、平面視での外周部は、上方に立ち上がらせた円筒部５ｂが設けられている。従って、この円筒部５ｂによって、基台１Ａの縦軸芯Ｘ方向の上方に開口する凹部６が構成されている。
【００２５】
この凹部６には、後述する中継部１Ｂの円柱状の凸部７ａを内嵌させることができ、両者の嵌合状態で、基台１Ａに対して中継部１Ｂを縦軸芯Ｘ周りに回転させられるように形成されている。
【００２６】
中継部１Ｂは、図１、図２、図４に示すように、基台１Ａの上に縦軸芯Ｘ周りに回転及び固定自在に支持される第１支持部材７と、支柱ＰＡの基端部Ｐａを支持すると共に、第１支持部材７に対して後述する第１スライド支持機構Ｓ１を介して支持される第２支持部材８とを備えて構成されている。
【００２７】
第１支持部材７は、図４、図７、図８に示すように、ベース部４とほぼ同径の平面視略小判形状の塊部材で構成してあり、第１支持部材７の下面の中央部には、上述の立上り部５に形成された凹部６に内嵌自在な凸部７ａが下方に向けて突設されている。また、凸部７ａには、縦軸芯Ｘに沿って上下に貫通する第２ボルト挿通孔７ｂが形成されている。この第２ボルト挿通孔７ｂには、第１支持部材７を基台１Ａに連結固定する第２ボルト９が挿通される。
【００２８】
凸部７ａを凹部６に内嵌させた状態で、第２ボルト９を雌ネジ部５ａに締め込むことで、第１支持部材７を基台１Ａに固定することができる。
凹部６と凸部７ａと第２ボルト９とによって、中継部１Ｂを縦軸芯Ｘ周りに回転させて位置変更自在に固定することができで、この凹部６と凸部７ａと第２ボルト９とによって回転支持機構Ｋが構成されている。
【００２９】
第１支持部材７の下面の縁部には、全周にわたって下方に垂下した垂下筒部７ｆが設けてある。この垂下筒部７ｆは、基台１Ａに第１支持部材７を連結した状態で、立上り部５より外径側に位置するように形成されている。
基礎１周りの止水性を向上させるために、図１、図２に示すように、防水シート２の上面から基台１Ａのベース部４と立上り部５を覆う状態に防水パッチ２Ａが設置されているが、この箇所で屋上スラブＲへの漏水を生じ難くするために、垂下筒部７ｆが寄与している。
即ち、雨水が、第１支持部材７の下面を伝って防水パッチ２Ａの上端部における立上り部５との隙間に浸入するのを、垂下筒部７ｆによる下方への誘導作用によって防止し易くしている。
【００３０】
第１支持部材７には、上面に開口する二つのアリ溝７ｃが、間隔をあけて並設されている。アリ溝７ｃの両端部は、ともに第１支持部材７の周面に開口させてあり、この周面の開口７ｄからアリ溝７ｃの内空部に、倒立状態の第１ボルト１０の拡径頭部１０ａを嵌入できるように構成されている（図４参照）。
【００３１】
アリ溝７ｃは、図４に示すように、第１ボルト１０の拡径頭部１０ａを内嵌させた状態で、アリ溝７ｃの長手方向には移動を許容し、上方への抜け出しを阻止できる内空寸法に形成してある。
【００３２】
アリ溝７ｃに内嵌させた第１ボルト１０は、倒立状態で、第２支持部材８を上下に貫通することができ、ナット１０ｂを締め付けることで、第１支持部材７に第２支持部材８をロック状態に固定することができる。また、ナット１０ｂを緩めた状態においては、第２支持部材８をアリ溝７ｃの長手方向に沿ってスライド移動させることができる。即ち、第２支持部材８に支持固定される支柱ＰＡに関しても同様にアリ溝７ｃの長手方向に沿ってスライド移動させることができる。
アリ溝７ｃと第１ボルト１０とを備えて第１スライド支持機構Ｓ１が構成されている。
【００３３】
第１支持部材７の両アリ溝７ｃの間には、矩形形状の凹み部７ｅが形成してあり、この凹み部７ｅは、第２支持部材８に挿通された支柱ＰＡより大きな内法寸法を備えている。
従って、凹み部７ｅに遊嵌状態で位置する支柱ＰＡの基端部Ｐａは、第２支持部材８に追従して平面視での縦横に移動できる。
【００３４】
第２支持部材８は、図４、図９、図１０に示すように、中央部に支柱ＰＡの基端部Ｐａを上下方向に沿って挿通自在な角型挿通孔８ａを備えた筒部８Ａと、筒部８Ａの対向する二周面から外方に突出する状態にそれぞれ形成された一対の突出部８Ｂとを一体に備えて構成されている。角型挿通孔８ａは、本発明における『柱挿通孔』に相当し、以下、『柱挿通孔８ａ』と称する。
【００３５】
筒部８Ａを構成する周部の一部には、柱挿通孔８ａに挿入した支柱ＰＡを固定するための雌ネジ部８ｂが、複数設けてある。この雌ネジ部８ｂに、図２、図４に示すように、固定用雄ネジ部材８ｃを螺着することで、その雄ネジ部材８ｃの先端部が支柱ＰＡの周部に食い込んで、支柱ＰＡを第２支持部材８に固定することができる。固定用雄ネジ部材８ｃは、本発明における『ネジ部材』に相当する。
【００３６】
突出部８Ｂには、第１支持部材７のアリ溝７ｃに嵌入させた第１ボルト１０を挿通自在な第１ボルト挿通孔８ｄがそれぞれ設けてある。
この第１ボルト挿通孔８ｄは、図１、図３、図４に示すように、長穴として構成してある。
即ち、長穴は、平面視において、第１スライド支持機構Ｓ１を構成するアリ溝７ｃの長手方向に交差する方向に沿った長径を備えている。
【００３７】
従って、第１ボルト１０を第１ボルト挿通孔８ｄに挿通した状態で、第１支持部材７の上で第２支持部材８を長穴の長径方向に沿ってスライド移動させることができる。勿論、第２支持部材８に固定した支柱ＰＡも同様にスライド移動させることができる。そして、第１ボルト１０の上端部にナット１０ｂを螺合させて締め込むことで、第１支持部材７と第２支持部材８とをロック状態に固定することができる。
前記第１ボルト挿通孔８ｄと第１ボルト１０とを備えて第２スライド支持機構Ｓ２が構成されている。
【００３８】
また、第２支持部材８の下面には、図４、図１０に示すように、複数の切欠き溝８ｅが形成してある。
切欠き溝８ｅによれば、第２支持部材８を第１支持部材７に固定した状態で、柱挿通孔８ａと第１ボルト挿通孔８ｄとを外部空間に連通させることができ、柱挿通孔８ａや第１ボルト挿通孔８ｄ内に浸入した雨水を、切欠き溝８ｅを通して外部空間に誘導して排出することが可能となる。
【００３９】
当該実施形態の基礎１によれば、基台１Ａの設置位置が、図３に示すように、手摺Ｐの計画設置位置から多少横に偏芯してしまったとしても、回転支持機構Ｋと第１スライド支持機構Ｓ１と第２スライド支持機構Ｓ２との簡単な操作によって、各支柱ＰＡを所定状態に支持固定でき、手摺Ｐを計画どおりの平面位置に合わせて設置できる。
具体的には、図３に示すように、回転支持機構Ｋによって第１支持部材７を縦軸芯Ｘ周りに回転させると共に、第１スライド支持機構Ｓ１によって第２支持部材８をアリ溝７ｃの長手方向に沿ってスライド移動させ、第２スライド支持機構Ｓ２によって第２支持部材８と支柱ＰＡとを第１ボルト挿通孔８ｄの長径方向に沿ってスライド移動させることで、支柱ＰＡの立設位置、及び、外周面の向く方向の調整を図っている。
【００４０】
〔別実施形態〕
以下に他の実施の形態を説明する。
【００４１】
〈１〉  当該支柱用基礎１は、先の実施形態で説明した手摺の支柱ＰＡを支持するものに限るものではなく、例えば、フェンスや他の構造物等の支柱を支持するものにも使用することができる。
また、支持する支柱ＰＡは、先の実施形態で説明した４角筒部材で構成してあるものに限らず、他の多角形筒部材で構成してあったり、円筒部材で構成してあってもよい（図１１、図１２参照）。
また、それら筒部材に限らず、内空部が埋まった多角形柱部材や円柱部材で構成してあってもよい。
また、中継部１Ｂと嵌合する部分と、それより上方部分との横断面形状が異なっているものであってもよい。具体例としては、図１１に示すように、中継部１Ｂと嵌合する部分の外形が円形断面で、それより上方部分の外形が矩形断面であってもよい。また、中継部１Ｂと支柱ＰＡとの嵌合部分は、中継部１Ｂの柱挿通孔８ａに支柱ＰＡを挿通させる構造の他、例えば、図１２に示すように、中継部１Ｂにボス部７ｇを形成して、このボス部７ｇに支柱ＰＡの下端部を外嵌させる構造であってもよい。
尚、支柱ＰＡと中継部１Ｂとの嵌合部分が、図１１、図１２に示すように、平面視で円形となるように形成してあれば、支柱軸芯周りに相対回転させることができ、支柱ＰＡの外周面の向く方向を簡単に調整することが可能となる。
また、支柱用基礎１を構成する基台１Ａや中継部１Ｂは、先の実施形態で説明した形状に限るものではなく、適宜、変更することができる。
【００４２】
〈２〉  中継部１Ｂは、先の実施形態で説明したように、第１スライド支持機構Ｓ１と第２スライド支持機構Ｓ２と回転支持機構Ｋとを備えたものに限るものではなく、例えば、図１１に示すように、第１スライド支持機構Ｓ１と回転支持機構Ｋのみを備えたものであってもよい。この実施形態の場合は、第２支持部材８に形成した第１ボルト挿通孔８ｄを丸穴で構成してある。
【００４３】
〈３〉  中継部１Ｂは、先の実施形態で説明したように、第１支持部材７と第２支持部材８との二部材で構成してあるものに限らず、例えば、単一部材であったり、三部材以上の複数部材を組み合わせて構成してあってもよい。
また、二部材で構成する場合であっても、第１支持部材７の上に第２支持部材８が重なる構造に限らず、例えば、図１２に示すように、第２支持部材８の上に第１支持部材７が重なる構造であってもよい。この場合は、下方から上方へ回転支持機構Ｋ、第２スライド支持機構Ｓ２、第１スライド支持機構Ｓ１の順で配置されている。
また、回転支持機構Ｋや第１スライド支持機構Ｓ１や第２スライド支持機構Ｓ２の詳細構造や、上下配置関係も、適宜、変更することができる。
例えば、スライド支持機構としては、アリ溝に替えて長穴で構成したり、長穴に替えてアリ溝で構成したり、又は、他の公知のスライド支持機構を採用するものであってもよい。
【００４４】
〈４〉  支柱用基礎１の別実施形態（図１３〜１５参照）について説明する。
この実施形態においては、主に、第１支持部材７と、その第１支持部材７を支持する基台１Ａの上端部とが、先の実施形態と異なった構造に形成されている。
【００４５】
基台１Ａの上端部は、円形の平面として構成してあり、その中央部に雌ネジ部５ａが設けてある。
【００４６】
第１支持部材７は、図１３〜１５に示すように、平面視において、略長方形形状に構成してあり、長方形の長辺方向の中間部１７Ａは、幅寸法（長方形の短辺方向の寸法）が、長方形の長辺方向の両端部１７Ｂに比べて大きく設定されている。
【００４７】
第１支持部材７の外周部には、全周にわたって下方に延出した垂下筒部７ｆが設けてある。
この垂下筒部７ｆは、基台１Ａに第１支持部材７を連結した状態で、立上り部５より径方向での外径側に位置するように形成されている。従って、第１支持部材７に雨水等が掛かって下方に伝って落下する際に、垂下筒部７ｆを伝うことで直下方向へ誘導することができ、立上り部５の上端部における防水パッチ２Ａとの接合部に水が浸入するのを防止し易くしている。
【００４８】
前記中間部１７Ａの中央部には、平面視円形の第２ボルト挿通孔（回転支持機構Ｋを構成）７ｂが形成されている。この第２ボルト挿通孔７ｂにボルト（回転支持機構Ｋを構成）９を挿通して、立上り部５の雌ネジ部（回転支持機構Ｋを構成）５ａに螺合することで、第１支持部材７を基台１Ａに取り付けることができる。第２ボルト９を緩めることで、第１支持部材７を縦軸芯Ｘ周りに回転させて位置変更することができる。
【００４９】
前記両端部１７Ｂには、第１支持部材７の長方形短辺方向に沿った長穴形状のボルト挿通孔（第１スライド支持機構を構成）１７Ｃがそれぞれ形成してある。
このボルト挿通孔１７Ｃは、両端部１７Ｂのうちで、前記中間部１７Ａ側に近接した位置に設けられており、挿通させた第１ボルト１０を、ボルト挿通孔１７Ｃの長径方向に沿ってスライドさせることができる。
第１ボルト１０は、下端部側に拡径頭部１０ａが位置する状態で下方から上方に挿通される。前記両端部１７Ｂの下面には、前記ボルト挿通孔１７Ｃを挟んだ両側に、それぞれ下方に突出したリブ１８が設けられている。
【００５０】
両リブ１８の間隔寸法は、第１ボルト１０の拡径頭部１０ａの最小径に相当する寸法が設定されており、ボルト挿通孔１７Ｃに下方から挿通した第１ボルト１０の拡径頭部１０ａが、両リブ１８の間に嵌まり込み、拡径頭部１０ａの周面をリブ１８の側面によって拘束するから、第１ボルト１０の回転止めを図ることができる。
【００５１】
また、リブ１８の各端部は、前記垂下筒部７ｆまで達して一体化されている。
従って、第１支持部材７におけるボルト挿通孔１７Ｃ周りの部分を、両リブ１８によって補強することができる。
【００５２】
また、ボルト挿通孔１７Ｃの両側方のリブ１８のうち、前記中間部１７Ａ側に配置されている一方のリブ１８ａは、ボルト挿通孔１７Ｃを挟んだ対向側に配置されている他方のリブ１８ｂよりリブ高さを大きく設定してある（図１５参照）。
第１支持部材７のなかでも、幅寸法が変化する部分には、応力集中が生じ易いから、その部分に、高さの大きい前記一方のリブ１８ａを配置してあることで、第１支持部材７の応力バランスを平均化することができる。
【００５３】
また、高さの大きい前記一方のリブ１８ａは、ボルト挿通孔１７Ｃを伝って落下する雨水を、前記垂下筒部７ｆと同様に、直下方向に誘導する効果が高いから、立上り部５の上端部における防水パッチ２Ａとの接合部に水が浸入するのを防止し易くしている。
【００５４】
当該別実施形態の基礎１によれば、第１支持部材７の上に取り付けられる第２支持部材８が備えた第２スライド支持機構Ｓ２と、第１支持部材７が備えた第１スライド支持機構Ｓ１と、第１支持部材７を縦軸芯Ｘ周りに回転自在に支持する回転支持機構Ｋとを備えているから、中継部１Ｂによって支持する支柱ＰＡの芯合わせや、外周面方向合わせを、より簡単に実施することができる。
また、特に第１支持部材７に関しては、薄型設計の単純な形状でありながら、高強度が得られ、経済性の向上や、取扱性の向上を図ることができる。
【００５５】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【産業上の利用可能性】
【００５６】
当該支柱用基礎は、手摺の支柱を支持するものに替えて他の支柱を支持するものにも利用することができる。
【符号の説明】
【００５７】
１Ａ    基台
１Ｂ    中継部
５      立上り部
５ａ    雌ネジ部
６      凹部
７      第１支持部材
７ａ    凸部
７ｂ    第２ボルト挿通孔
７ｆ    垂下筒部
８      第２支持部材
８ａ    角型挿通孔（柱挿通孔）
８ｃ    固定用雄ネジ部材（ネジ部材）
８ｄ    第１ボルト挿通孔
９      第２ボルト
１０    第１ボルト
１０ｂ  ナット
Ｋ      回転支持機構
ＰＡ    支柱
Ｐａ    基端部
Ｒ      屋上スラブ（支柱設置下地の一例）
Ｓ１    第１スライド支持機構
Ｓ２    第２スライド支持機構
Ｘ      縦軸芯
【図１】
0006684550.tif 000002
【図２】
0006684550.tif 000003
【図３】
0006684550.tif 000004
【図４】
0006684550.tif 000005
【図５】
0006684550.tif 000006
【図６】
0006684550.tif 000007
【図７】
0006684550.tif 000008
【図８】
0006684550.tif 000009
【図９】
0006684550.tif 000010
【図１０】
0006684550.tif 000011
【図１１】
0006684550.tif 000012
【図１２】
0006684550.tif 000013
【図１３】
0006684550.tif 000014
【図１４】
0006684550.tif 000015
【図１５】
0006684550.tif 000016